(57)【特許請求の範囲】
【請求項１】
燃焼を行うバーナ部と、この燃焼で発生した燃焼ガスにより加熱される赤熱筒と、該赤熱筒を内設しバーナ部と燃焼ガスが流れる集熱部とに接続されて燃焼室を形成する透明な燃焼筒と、集熱部を通過した燃焼ガスと送風ファンにより吸引された室内空気と熱交換を行う熱交換器と、略中央に凹部を形成し、集熱部内に設けた仕切り板と、略中央に凹部を形成し、赤熱筒の上面に設けた仕切り板蓋とを備え、前記仕切り板の下面に赤熱筒固定金具を設けると共に、前記仕切り板蓋に鍔部を形成し、前記仕切り板の凹部と仕切り板蓋の凹部とが合うように仕切り板の下面に仕切り板蓋の上面を合わせた状態で、仕切り板に設けた赤熱筒固定金具に仕切り板蓋の鍔部を係合させることで集熱部に赤熱筒を取り付ける燃焼装置に於いて、前記赤熱筒固定金具は仕切り板の下面に取り付けられる取り付け部と、断面略コの字状の係合部と断面略コの字状の係止部とを備え、前記係止部は、係合部よりもコの字状の先端が高くコの字状の幅も大きく形成すると共に、仕切り板の凹部と仕切り板蓋の凹部とを合わせた状態の時に赤熱筒に接触するように設けたことを特徴とする燃焼装置。
【請求項２】
前記係合部のコの字の先端部分には、赤熱筒引っかけ金具の鍔部が摺動する摺動部と、該摺動部に突設した摺動凸部とを形成し、仕切り板の凹部と仕切り板蓋の凹部とを合わせた状態で赤熱筒を回転させると、鍔部が摺動凸部を乗り越えて係合部の摺動部を摺動し、鍔部が係合部の係止部に当接することを特徴とする請求項１記載の燃焼装置。
【発明の詳細な説明】
【技術分野】
【０００１】
この発明は、石油等の燃料を燃焼させて暖房を行う暖房機などに用いられる燃焼装置に関するものである。
【背景技術】
【０００２】
従来からこの種のものに於いては、図３及び図４に示すように燃油及び燃焼空気の供給を受けてバーナ部１で燃焼が行われ、この燃焼で発生した燃焼ガスは、燃焼室２で完全燃焼しながら赤熱筒３を加熱して赤熱状態とした後、集熱部４を介して熱交換器５内を流通して屋外へ排出され、そして送風ファン６を駆動させることで、吸引口（図示せず）から吸引された室内空気が熱交換器５外周を通り熱交換で温風となって室内に放出されると共に、赤熱状態の赤熱筒３より輻射熱が透明の燃焼筒７を通し輻射室（図示せず）の反射板（図示せず）で燃焼装置８の前方に反射され、輻射暖房を行うものであった。
【０００３】
そしてこの従来の燃焼装置に於いては、赤熱筒３が燃焼装置８の暖房運転の繰り返しによるヒートショックにより変形しやすく、変形した場合に交換できるように取り外しができる構造となっていた。
図５によりその構造を説明すると、集熱部４内に設けた断面略コの字状の仕切り板９の下面に、赤熱筒３の上面に設けた略円板状の仕切り板蓋１０の上面を密着させて取り付けるが、この際赤熱筒３と集熱部４との位置を決めるために仕切り板９と仕切り板蓋１０との略中央に断面略半円状の小さい凹部１１，１２を形成し、お互いの凹部１１，１２が重なることで赤熱筒３と集熱部４との位置を決めていた。
【０００４】
そして仕切り板９の下面には略１２０度の間隔で三カ所に赤熱筒固定金具１３が設けられ、又仕切り板蓋１０には略１２０度の間隔で三カ所に赤熱筒引っかけ金具１４が設けられていた。
【０００５】
前記赤熱筒固定金具１３は断面略コの字状でコの字の部分の先端の位置に仕切り板９の下面との間に隙間１５が形成され、赤熱筒引っかけ金具１４は仕切り板蓋１０と同じ高さとなる凸部１６と該凸部１６よりも低い高さに位置する鍔部１７とからなり、仕切り板蓋１０を回転させて、仕切り板９の下面と赤熱筒固定金具１３とで形成する隙間１５に赤熱筒引っかけ金具１４の鍔部１７が位置すると、鍔部１７と赤熱筒固定金具１３のコの字の部分の先端部分が当接して仕切り板蓋１０が上方向に押し上げられ、それにより赤熱筒引っかけ金具１４の凸部１６が仕切り板９の下面に押しつけられて、仕切り板９の下面に仕切り板蓋１０の上面が密着して取り付けられていた。（例えば、特許文献１）。
【先行技術文献】
【特許文献】
【０００６】
【特許文献１】特開２００１−２８９５１３号公報
【発明の概要】
【発明が解決しようとする課題】
【０００７】
ところでこの従来のものでは、修理などで赤熱筒３を交換する際、取り外す作業は仕切り板蓋１０を回転させて鍔部１７と赤熱筒固定金具１３のコの字の部分の先端部分の当接を解除すればよいが、その次に交換する赤熱筒３を取り付ける作業では、仕切り板９は集熱部４内に設けられているので、目で確認しながら仕切り板蓋１０を回転させることができず、鍔部１７と赤熱筒固定金具１３のコの字の部分の先端部分を当接して正確に赤熱筒３を係合させることが難しいという問題があった。
【課題を解決するための手段】
【０００８】
この発明はこの点に着目し上記課題を解決する為、特にその構成を請求項１では、燃焼を行うバーナ部と、この燃焼で発生した燃焼ガスにより加熱される赤熱筒と、該赤熱筒を内設しバーナ部と燃焼ガスが流れる集熱部とに接続されて燃焼室を形成する透明な燃焼筒と、集熱部を通過した燃焼ガスと送風ファンにより吸引された室内空気と熱交換を行う熱交換器と、略中央に凹部を形成し、集熱部内に設けた仕切り板と、略中央に凹部を形成し、赤熱筒の上面に設けた仕切り板蓋とを備え、前記仕切り板の下面に赤熱筒固定金具を設けると共に、前記仕切り板蓋に鍔部を形成し、前記仕切り板の凹部と仕切り板蓋の凹部とが合うように仕切り板の下面に仕切り板蓋の上面を合わせた状態で、仕切り板に設けた赤熱筒固定金具に仕切り板蓋の鍔部を係合させることで集熱部に赤熱筒を取り付ける燃焼装置に於いて、前記赤熱筒固定金具は仕切り板の下面に取り付けられる取り付け部と、断面略コの字状の係合部と断面略コの字状の係止部とを備え、前記係止部は、係合部よりもコの字状の先端が高くコの字状の幅も大きく形成すると共に、仕切り板の凹部と仕切り板蓋の凹部とを合わせた状態の時に赤熱筒に接触するように設けたものである。
【０００９】
又請求項２に係る燃焼装置では、特にその構成を請求項１に於いて、前記係合部のコの字の先端部分には、赤熱筒引っかけ金具の鍔部が摺動する摺動部と、該摺動部に突設した摺動凸部とを形成し、仕切り板の凹部と仕切り板蓋の凹部とを合わせた状態で赤熱筒を回転させると、鍔部が摺動凸部を乗り越えて係合部の摺動部を摺動し、鍔部が係合部の係止部に当接するものである。
【発明の効果】
【００１０】
この発明の請求項１によれば、燃焼を行うバーナ部と、この燃焼で発生した燃焼ガスにより加熱される赤熱筒と、該赤熱筒を内設しバーナ部と燃焼ガスが流れる集熱部とに接続されて燃焼室を形成する透明な燃焼筒と、集熱部を通過した燃焼ガスと送風ファンにより吸引された室内空気と熱交換を行う熱交換器と、略中央に凹部を形成し、集熱部内に設けた仕切り板と、略中央に凹部を形成し、赤熱筒の上面に設けた仕切り板蓋とを備え、前記仕切り板の下面に赤熱筒固定金具を設けると共に、前記仕切り板蓋に鍔部を形成し、前記仕切り板の凹部と仕切り板蓋の凹部とが合うように仕切り板の下面に仕切り板蓋の上面を合わせた状態で、仕切り板に設けた赤熱筒固定金具に仕切り板蓋の鍔部を係合させることで集熱部に赤熱筒を取り付ける燃焼装置に於いて、前記赤熱筒固定金具は仕切り板の下面に取り付けられる取り付け部と、断面略コの字状の係合部と断面略コの字状の係止部とを備え、前記係止部は、係合部よりもコの字状の先端が高くコの字状の幅も大きくすると共に、仕切り板の凹部と仕切り板蓋の凹部とを合わせた状態の時に赤熱筒に接触するように設けたので、集熱部内に赤熱筒の仕切り板蓋を差し込み、仕切り板蓋の中心と仕切り板の中心とを合わせるようにすると、赤熱筒固定金具の係止部が赤熱筒に接触して、仕切り板蓋の中心と仕切り板の中心が合うように案内し、目視できなくとも仕切り板蓋の中心と仕切り板の中心を合わせることができるものである。
【００１１】
また、仕切り板蓋の中心と仕切り板の中心が合っていない状態で赤熱筒を回転させると、赤熱筒引っかけ金具の鍔部が赤熱筒固定金具の係止部に乗り上げて赤熱筒が大きく傾いてしまうので、目視出来なくてもその赤熱筒が大きく傾いたことで仕切り板蓋の中心と仕切り板の中心が合っていないことがわかるものである。
【００１２】
又、本発明の請求項２に記載の燃焼装置によれば、前記係合部のコの字の先端部分には、赤熱筒引っかけ金具の鍔部が摺動する摺動部と、該摺動部に突設した摺動凸部とを形成し、仕切り板の凹部と仕切り板蓋の凹部とを合わせた状態で赤熱筒を回転させると、鍔部が摺動凸部を乗り越えて係合部の摺動部を摺動し、鍔部が係合部の係止部に当接するので、赤熱筒を回転させて一旦鍔部が摺動凸部を乗り越えると、その状態から赤熱筒が逆方向に回転しても、鍔部が摺動凸部に当接してその位置から摺動凸部を乗り越えられず、それ以上逆方向に回転できないので、赤熱筒が外れることを防止できるものである。
【図面の簡単な説明】
【００１３】
【図１】この発明の一実施形態を示す燃焼装置の一部断面図。
【図２】同要部分解斜視図。従来の燃焼装置の
【図３】同要部断面図。
【図４】同仕切り板蓋の鍔部と赤熱筒固定金具の係合状態を示す平面図。
【図５】同赤熱筒固定金具を示す三面図。
【図６】従来の仕切り板蓋の鍔部と赤熱筒固定金具の係合状態を示す平面図。
【図７】同赤熱筒固定金具を示す三面図。
【発明を実施するための形態】
【００１４】
次に、本発明に係る発明の１実施形態を図面に基づいて説明する。
尚、前述の従来例と同じ番号が付されているものは同じ機能を有するので、説明を省略する。
１は燃焼装置８内の下部に備えられた気化式のバーナ部で、燃焼ファン２６によって屋外から吸引された燃焼空気と、燃料供給手段１８から供給される燃油とを予混合して燃焼させるものである。
【００１５】
７はバーナ部１と集熱部４との間を密閉空間として連通する耐熱性の透明ガラス円筒から成る燃焼筒で、内方には燃焼ガスで加熱され赤熱状態となる赤熱筒３が集熱部４から垂下し、バーナ部１の燃焼室２を構成するものであり、この燃焼筒７とバーナ部１及び集熱部４との接続は、燃焼筒７とバーナ部１及び燃焼筒７と集熱部４との接続部分に耐熱性で柔軟なパッキン１９を収納し、ここに燃焼筒７の端部を埋設することで容易に密閉構造を得ることが出来るものである。
【００１６】
５は上記集熱部４と連通し、燃焼ガスを流通させて室内空気との熱交換を行わせる熱交換器で、複数本のパイプ２０を並設して構成されている。
６は熱交換器５上方に備えられたクロスフローファンから成る温風ファンで、燃焼装置８背面上部の吸引口（図示せず）から吸引した室内空気を、熱交換器５及び燃焼筒７外周を流通させて熱交換で温風として、室内に放出させるものである。
【００１７】
赤熱筒固定金具１３は図５に示すように、仕切り板９の下面に取り付けられる取り付け部２１と、断面略コの字状の係合部２２と、断面略コの字状で前記係合部２２よりもコの字の先端が高くコの字の幅も大きい係止部２３を備え、前記係合部２２のコの字の先端部分には、赤熱筒引っかけ金具１４の鍔部１７が摺動する摺動部２４と、該摺動部２４に摺動凸部２５とが形成されているものである。
そして赤熱筒固定金具１３は、仕切り板９の下面に略１２０度の間隔で三カ所に断面略コの字状の係合部２２が向かい合うように設けられている。
【００１８】
次に赤熱筒３を取り付ける作業を説明する。
まず、集熱部４内に赤熱筒３の仕切り板蓋１０を差し込み、仕切り板蓋１０の凹部１２と仕切り板９の凹部１１を合わせるようにすると、赤熱筒固定金具１３の係止部２３が赤熱筒３に接触して、仕切り板蓋１０の凹部１２と仕切り板９の凹部１１がほぼ合うように案内するので、目視は出来ないが手の感覚で仕切り板蓋１０の凹部１２と仕切り板９の凹部１１が合ったと思った時点で赤熱筒３を回転させる。
【００１９】
この仕切り板蓋１０の凹部１２と仕切り板９の凹部１１を合わせる時に、赤熱筒固定金具１３の係止部２３が赤熱筒３に接触して、仕切り板蓋１０の凹部１２と仕切り板９の凹部１１がほぼ合うように案内する。
【００２０】
仕切り板蓋１０の凹部１２と仕切り板９の凹部１１が合っていれば、まず仕切り板蓋１０の鍔部１７が赤熱筒固定金具１３の係合部２２の摺動凸部２５に当接しそこで一旦赤熱筒３の回転が停止する。
【００２１】
その状態で更に力を入れて赤熱筒３を回転させると、鍔部１７が摺動凸部２５を乗り越えて係合部２２の摺動部２４を摺動し、鍔部１７が係合部２２の係止部２３に当接してそれ以上は赤熱筒３が回転しないので、その状態で赤熱筒３を取り付ける作業は終了する。
【００２２】
その状態で赤熱筒３が逆方向に回転しても、鍔部１７が摺動凸部２５に当接してその位置から摺動凸部２５を乗り越えられず、それ以上逆方向に回転しないので、赤熱筒３が外れることはないものである。
【００２３】
また、仕切り板蓋１０の凹部１２と仕切り板９の凹部１１が合っていない状態で赤熱筒３を回転させると、赤熱筒引っかけ金具１４の鍔部１７が赤熱筒固定金具１３の係止部２３に乗り上げて赤熱筒３が大きく傾いてしまうので、目視出来なくてもその赤熱筒３が大きく傾いたことで仕切り板蓋１０の凹部１２と仕切り板９の凹部１１が合っていないことがわかり、その時点で赤熱筒３を一旦逆回転させてもう一度仕切り板蓋１０の凹部１２と仕切り板９の凹部１１を合わせるようにして赤熱筒３を回転させるものである。
【００２４】
また赤熱筒３を取り外す作業は、赤熱筒３を取り外す方向に回転させると、仕切り板蓋１０の鍔部１７が赤熱筒固定金具１３の係合部２２の摺動凸部２５に当接しそこで一旦赤熱筒３の回転が停止するので、その状態で更に力を入れて赤熱筒３を回転させると、鍔部１７が摺動凸部２５を乗り越えて係合部２２から鍔部１７が外れ、それにより  集熱部４内から赤熱筒３を取り外すことができるものである。
【００２５】
このように集熱部４内に赤熱筒３の仕切り板蓋１０を差し込み、仕切り板蓋１０の凹部１２と仕切り板９の凹部１１を合わせるようにすると、赤熱筒固定金具１３の係止部２３が赤熱筒３に接触して、仕切り板蓋１０の凹部１２と仕切り板９の凹部１１がほぼ合うように案内するので、目視できなくとも仕切り板蓋１０の凹部１２と仕切り板９の凹部１１を合わせることができるものである。
【００２６】
また、仕切り板蓋１０の凹部１２と仕切り板９の凹部１１が合っていない状態で赤熱筒３を回転させると、赤熱筒引っかけ金具１４の鍔部１７が赤熱筒固定金具１３の係止部２３に乗り上げて赤熱筒３が大きく傾いてしまうので、目視出来なくてもその赤熱筒３が大きく傾いたことで仕切り板蓋１０の凹部１２と仕切り板９の凹部１１が合っていないことがわかるものである。
【００２７】
また、赤熱筒３を回転させて一旦鍔部１７が摺動凸部２５を乗り越えると、その状態から赤熱筒３が逆方向に回転しても、鍔部１７が摺動凸部２５に当接してその位置から摺動凸部２５を乗り越えられず、それ以上逆方向に回転しないので、赤熱筒３が外れることを防止できるものである。
【符号の説明】
【００２８】
１  バーナ部
２  燃焼室
３  赤熱筒
４  集熱部
５  熱交換器
６  送風ファン
７  燃焼筒
９  仕切り板
１０  仕切り板蓋
１３  赤熱筒固定金具
１７  鍔部
２１  取り付け部
２２  係合部
２３  係止部
【図１】
0005616838.tif 000002
【図２】
0005616838.tif 000003
【図３】
0005616838.tif 000004
【図４】
0005616838.tif 000005
【図５】
0005616838.tif 000006
【図６】
0005616838.tif 000007
【図７】
0005616838.tif 000008